(57)【要約】【課題】  エアミックス方式の車両用空調装置において、最大冷房性能の向上を図る。【解決手段】  空調ケース１４内部を２枚の仕切り板２７にて車両左右方向の中央領域１４ｂと左側領域１４ｃと右側領域１４ｄとに仕切り、中央領域１４ｂのうち、ヒータコア１８の空気流れ下流部をヒータコア１８からの温風とバイパス通路からの冷風とを混合する後席側エアミックス領域として形成し、一方、左右の両側領域１４ｃ、１４ｄのうち、ヒータコア１８下流部をヒータコア１８からの温風がバイパス通路に向かって流れる温風通路として形成し、左右の両側領域１４ｃ、１４ｄのうち、温風通路からの温風がバイパス通路の冷風に衝突する部位を前席側エアミックス領域２８ａとして形成する。【選択図】        図１
2005324588.tif 000002
【特許請求の範囲】
【請求項１】
車室内へ向かって流れる空気の通路を構成する空調ケース（１４）と、
前記空調ケース（１４）内に配置され、前記空気を冷却する冷房用熱交換器（１６）と、
前記空調ケース（１４）内にて前記冷房用熱交換器（１６）の空気流れ下流側に配置され、前記空気を加熱する暖房用熱交換器（１８）と、
前記空調ケース（１４）内に形成され、前記冷房用熱交換器（１６）通過後の冷風が前記暖房用熱交換器（１８）をバイパスして流れるバイパス通路（１９）と、
前記空調ケース（１４）内に配置され、前記暖房用熱交換器（１８）を通過する温風と前記バイパス通路（１９）を通過する冷風との風量割合を調整して車室内への吹出空気温度を調整するドア手段（２０）と、
前記ドア手段（２０）により温度調整された空気を車室内へ吹き出す吹出開口部とを備え、
前記吹出開口部として、車室内中央部にて前席乗員の顔部側へ吹き出す空気を取り出すセンターフェイス開口部（２２ａ）、
車室内左右両側部にて前席乗員の顔部側へ吹き出す空気を取り出すサイドフェイス開口部（２２ｂ）、
車室内の前席乗員の足元側へ吹き出す空気を取り出すフット開口部（２１）、
車室内の窓ガラス側へ吹き出す空気を取り出すデフロスタ開口部（２３）、
および車室内の後席乗員側へ吹き出す空気を取り出す後席側吹出開口部（３３、３４）を有する車両用空調装置において、
前記空調ケース（１４）内部のうち、前記暖房用熱交換器（１８）の空気流れ下流側領域および前記バイパス通路（１９）の領域を２枚の仕切り板（２７）にて車両左右方向の中央領域（１４ｂ）と左側領域（１４ｃ）と右側領域（１４ｄ）とに仕切り、
前記中央領域（１４ｂ）のうち、前記暖房用熱交換器（１８）の空気流れ下流部を前記暖房用熱交換器（１８）からの温風と前記バイパス通路（１９）からの冷風とを混合する後席側エアミックス領域（２９）として形成し、前記後席側エアミックス領域（２９）を前記後席側吹出開口部（３３、３４）に連通し、
一方、前記左右の両側領域（１４ｃ、１４ｄ）のうち、前記暖房用熱交換器（１８）の空気流れ下流部を前記暖房用熱交換器（１８）からの温風が前記バイパス通路（１９）に向かって流れる温風通路（３０）として形成し、
前記左右の両側領域（１４ｃ、１４ｄ）のうち、前記温風通路（３０）からの温風が前記バイパス通路（１９）の冷風に衝突する部位を前席側エアミックス領域（２８ａ）として形成し、
前記センターフェイス開口部（２２ａ）は、前記バイパス通路（１９）の前記中央領域（１４ｂ）を経て前記冷房用熱交換器（１６）の空気流れ下流部に直線的に連通するように配置されており、
また、前記バイパス通路（１９）の前記中央領域（１４ｂ）は前記温風通路（３０）にも連通するようになっており、
更に、前記サイドフェイス開口部（２２ｂ）、前記フット開口部（２１）および前記デフロスタ開口部（２３）は前記前席側エアミックス領域（２８ａ）に連通するように配置されていることを特徴とする車両用空調装置。
【請求項２】
前記センターフェイス開口部（２２ａ）および前記サイドフェイス開口部（２２ｂ）を開閉するフェイスドア（２５）を備え、
前記フェイスドア（２５）は、前記センターフェイス開口部（２２ａ）を開閉する第１板ドア部（２５ｂ）と前記サイドフェイス開口部（２２ｂ）を開閉する第２板ドア部（２５ｃ）とを有する回転可能な板ドアで構成され、
前記第１板ドア部（２５ｂ）は、前記センターフェイス開口部（２２ａ）を開口する操作位置では前記バイパス通路（１９）からの冷風流れの上流方向に突き出して、前記バイパス通路（１９）からの冷風流れを前記センターフェイス開口部（２２ａ）に向かう流れと前記後席側エアミックス領域（２９）に向かう流れとに分岐させることを特徴とする請求項１に記載の車両用空調装置。
【請求項３】
前記デフロスタ開口部（２３）を開閉するデフロスタドア（２６）を備え、
前記デフロスタドア（２６）は、回転軸（２６ａ）の径方向の両側に第１板ドア部（２６ｂ）と第２板ドア部（２６ｃ）とを一体に連結し、前記回転軸（２６ａ）を中心として前記第１、第２板ドア部（２６ｂ、２６ｃ）が回転可能なバタフライドアで構成され、
前記第１板ドア部（２６ｂ）により前記デフロスタ開口部（２３）を開閉するようにし、前記第１板ドア部（２６ｂ）が前記デフロスタ開口部（２３）の開口位置に操作されたときに、前記第２板ドア部（２６ｃ）が前記バイパス通路（１９）の冷風流れ中に突き出して、前記バイパス通路（１９）の冷風を前記温風通路（３０）からの温風の方向にガイドすることを特徴とする請求項１または２に記載の車両用空調装置。
【請求項４】
前記空調ケース（１４）のうち、前記仕切り板（２７）の設置範囲に相当する部分を別体の分割ケース体（１４ｅ）により構成することを特徴とする請求項１ないし３のいずれか１つに記載の車両用空調装置。
【請求項５】
前記分割ケース体（１４ｅ）に前記仕切り板（２７）が一体成形されていることを特徴とする請求項４に記載の車両用空調装置。
【請求項６】
前記空調ケース（１４）内部に、前記冷房用熱交換器（１６）の空気流れ下流側を車両左側通路（３６）と車両右側通路（３７）とに仕切る中央仕切り板（３５）を配置し、
前記ドア手段（２０）を、前記車両左側通路（３６）と前記車両右側通路（３７）でそれぞれ独立に操作可能な車両左側ドア手段と車両右側ドア手段とにより構成したことを特徴とする請求項１ないし５のいずれか１つに記載の車両用空調装置。
【発明の詳細な説明】
【技術分野】
【０００１】
本発明は、冷温風の風量割合を調整して車室内への吹出空気温度を調整するエアミックス方式の車両用空調装置に関する。
【背景技術】
【０００２】
この種のエアミックス方式の車両用空調装置は従来より種々提案されている（例えば、特許文献１参照）。図９は特許文献１に記載の従来装置を示しており、冷房用熱交換器をなす蒸発器１６で冷却された冷風をエアミックスドア２０により暖房用熱交換器をなすヒータコア１８に向かう冷風流れとヒータコア１８のバイパス通路１９に向かう冷風流れとに分岐するようになっている。
【０００３】
そして、ヒータコア１８下流側の温風通路４０からの温風Ｘとバイパス通路１９からの冷風Ｙとをエアミックス領域４１で混合して、所望温度の空調風を作る。この所望温度の空調風をフット開口部２１、センターフェイス開口部２２ａ、サイドフェイス開口部２２ｂ、およびデフロスタ開口部２３のいずれか１つまたは複数の開口部に配分し、この開口部を通して所望温度の空調風を車室内へ吹き出すようにしている。
【特許文献１】特開平１０−１６６８３８号公報
【発明の開示】
【発明が解決しようとする課題】
【０００４】
上記従来装置では、上記各種の開口部２１、２２ａ、２２ｂ、２３を吹出モードドア４２、４３により開閉して吹出モードを変更しても、常にほぼ一定位置のエアミックス領域４１で冷温風を混合しているので、この冷温風のエアミックス性（混合性）の向上を図るためのガイド形状によってセンターフェイス開口部２２ａに向かう空気通路の通風抵抗（圧損）が増大するという不具合がある。
【０００５】
具体的には、温風通路４０からの温風Ｘを車両前方側へガイドするガイド壁４４を空調ケース１４に設けて、温風Ｘをバイパス通路１９からの冷風Ｙに対して逆方向から対向的に衝突させてエアミックス性の向上を図っている。このガイド壁４４がバイパス通路１９からセンターフェイス開口部２２ａに向かう空気通路に突出して、この空気通路の通風抵抗（圧損）が増大する。
【０００６】
その結果、エアミックスドア２０によりバイパス通路１９を全開してヒータコア１８側の通風路を全閉する最大冷房時に、上記通風抵抗の増大により冷風吹出風量が減少して、最大冷房性能の低下を招く。
【０００７】
本発明は、上記点に鑑み、エアミックス方式の車両用空調装置において、最大冷房性能の向上を図ることを目的とする。
【課題を解決するための手段】
【０００８】
上記目的を達成するため、請求項１に記載の発明では、暖房用熱交換器（１８）を通過する温風と暖房用熱交換器（１８）のバイパス通路（１９）を通過する冷風との風量割合をドア手段（２０）により調整して車室内への吹出空気温度を調整するようになっており、
ドア手段（２０）により温度調整された空気を車室内へ吹き出す吹出開口部として、車室内中央部にて前席乗員の顔部側へ吹き出す空気を取り出すセンターフェイス開口部（２２ａ）、
車室内左右両側部にて前席乗員の顔部側へ吹き出す空気を取り出すサイドフェイス開口部（２２ｂ）、
車室内の前席乗員の足元側へ吹き出す空気を取り出すフット開口部（２１）、
車室内の窓ガラス側へ吹き出す空気を取り出すデフロスタ開口部（２３）、
および車室内の後席乗員側へ吹き出す空気を取り出す後席側吹出開口部（３３、３４）を有する車両用空調装置において、
空調ケース（１４）内部のうち、暖房用熱交換器（１８）の空気流れ下流側領域およびバイパス通路（１９）の領域を２枚の仕切り板（２７）にて車両左右方向の中央領域（１４ｂ）と左側領域（１４ｃ）と右側領域（１４ｄ）とに仕切り、
中央領域（１４ｂ）のうち、暖房用熱交換器（１８）の空気流れ下流部を暖房用熱交換器（１８）からの温風とバイパス通路（１９）からの冷風とを混合する後席側エアミックス領域（２９）として形成し、この後席側エアミックス領域（２９）を後席側吹出開口部（３３、３４）に連通し、
一方、左右の両側領域（１４ｃ、１４ｄ）のうち、暖房用熱交換器（１８）の空気流れ下流部を暖房用熱交換器（１８）からの温風がバイパス通路（１９）に向かって流れる温風通路（３０）として形成し、
左右の両側領域（１４ｃ、１４ｄ）のうち、温風通路（３０）からの温風がバイパス通路（１９）の冷風に衝突する部位を前席側エアミックス領域（２８ａ）として形成し、
センターフェイス開口部（２２ａ）は、バイパス通路（１９）の中央領域（１４ｂ）を経て冷房用熱交換器（１６）の空気流れ下流部に直線的に連通するように配置されており、
また、バイパス通路（１９）の中央領域（１４ｂ）は温風通路（３０）にも連通するようになっており、
更に、サイドフェイス開口部（２２ｂ）、フット開口部（２１）およびデフロスタ開口部（２３）は前席側エアミックス領域（２８ａ）に連通するように配置されていることを特徴としている。
【０００９】
これによると、冷房用熱交換器（１６）の空気流れ下流部からセンターフェイス開口部（２２ａ）に向かう空気通路の通風抵抗（圧損）を十分低減して、センターフェイス開口部（２２ａ）からの吹出風量を効果的に増大できる。
【００１０】
すなわち、前席側のサイドフェイス開口部（２２ｂ）、フット開口部（２１）およびデフロスタ開口部（２３）から吹き出す空気の冷温風を混合する前席側エアミックス領域（２８ａ）は、左右の両側領域（１４ｃ、１４ｄ）に形成してあるるので、センターフェイス開口部（２２ａ）に向かう空気通路をなす、バイパス通路（１９）の中央領域（１４ｂ）はこの前席側エアミックス領域（２８ａ）の形態に何ら影響されることなく独自に形成できる。
【００１１】
また、後席側吹出開口部（３３、３４）から吹き出す空気の冷温風を混合する後席側エアミックス領域（２９）は中央領域（１４ｂ）のうち、暖房用熱交換器（１８）の空気流れ下流部に形成してあるるので、バイパス通路（１９）の中央領域（１４ｂ）はこの後席側エアミックス領域（２９）の形態に対しても影響されることなく独自に形成できる。
【００１２】
これにより、バイパス通路（１９）の中央領域（１４ｂ）は従来技術のガイド壁４４にに相当する通風面積減少部を具備せず、十分な通路面積の確保が容易となる。そして、センターフェイス開口部（２２ａ）は、バイパス通路（１９）の中央領域（１４ｂ）を経て冷房用熱交換器（１６）の空気流れ下流部に直線的に連通しているから、流れの曲がり等による通風抵抗の増大も発生しない。
【００１３】
これらのことが相俟って、センターフェイス開口部（２２ａ）に向かう空気通路の通風抵抗（圧損）を十分低減でき、センターフェイス開口部（２２ａ）からの吹出風量を効果的に増大できる。これにより、最大冷房性能を効果的に向上できる。もし、最大冷房性能を従来技術よりも向上する必要がない場合は、最大冷房性能の向上分に相当する分だけ通路面積を減少して、空調装置の小型化が可能となる。
【００１４】
なお、最大冷房状態から温度制御域に移行すると、ドア手段（２０）を中間開度位置に操作してバイパス通路（１９）の冷風流れに、左右の両側領域（１４ｃ、１４ｄ）に位置する温風通路（３０）からの温風を混合して、センターフェイス吹出空気の温度制御を行う。従って、バイパス通路（１９）の中央領域（１４ｂ）は、この場合、エアミックス領域（後述の図２の符号２８ｂ部）の役割を果たすことになるが、バイパス通路（１９）の中央領域（１４ｂ）では、中央部の冷風流れに対して左右両側から温風が巻き込まれることにより、冷温風を混合できる。
【００１５】
つまり、従来技術のガイド壁４４のような特別の温風ガイド手段を設定しなくても、中央部の冷風流れに対して左右両側から温風が巻き込まれるという、冷温風の流れ形態自体で冷温風を良好に混合できる。
【００１６】
このことから、バイパス通路（１９）の中央領域（１４ｂ）が温度制御域においてセンターフェイス吹出空気のエアミックス領域（２８ｂ）となっても、バイパス通路（１９）の中央領域（１４ｂ）の通風抵抗が増大することはない。
【００１７】
また、前席側エアミックス領域（２８ａ）を、バイパス通路（１９）のうち左右の両側領域（１４ｃ、１４ｄ）に独立に形成し、また、後席側エアミックス領域（２９）は中央領域（１４ｂ）のうち、暖房用熱交換器（１８）の空気流れ下流部に独立に形成しているから、エアミックス用のドア手段（２０）が同一操作位置であっても、前席側エアミックス領域（２８ａ）における冷温風の配風割合と後席側エアミックス領域（２９）における冷温風の配風割合とが異なるように両エアミックス領域（２８ａ、２９）への冷温風通路を設計することにより、前席側吹出空気温度と後席側吹出空気温度とを異なった温度にチューニングすることができる。
【００１８】
請求項２に記載の発明では、請求項１に記載の車両用空調装置において、センターフェイス開口部（２２ａ）およびサイドフェイス開口部（２２ｂ）を開閉するフェイスドア（２５）を備え、
フェイスドア（２５）は、センターフェイス開口部（２２ａ）を開閉する第１板ドア部（２５ｂ）とサイドフェイス開口部（２２ｂ）を開閉する第２板ドア部（２５ｃ）とを有する回転可能な板ドアで構成され、
第１板ドア部（２５ｂ）は、センターフェイス開口部（２２ａ）を開口する操作位置ではバイパス通路（１９）からの冷風流れの上流方向に突き出して、バイパス通路（１９）からの冷風流れをセンターフェイス開口部（２２ａ）に向かう流れと後席側エアミックス領域（２９）に向かう流れとに分岐させることを特徴とする。
【００１９】
これにより、フェイスドア（２５）の第１板ドア部（２５ｂ）自身に後席側エアミックス領域（２９）に向かう冷風流れの分岐機能を兼務させることができ、簡単な構成で、後席側のエアミックス機能を良好に発揮できる。
【００２０】
請求項３に記載の発明では、請求項１または２に記載の車両用空調装置において、デフロスタ開口部（２３）を開閉するデフロスタドア（２６）を備え、
デフロスタドア（２６）は、回転軸（２６ａ）の径方向の両側に第１板ドア部（２６ｂ）と第２板ドア部（２６ｃ）とを一体に連結し、回転軸（２６ａ）を中心として第１、第２板ドア部（２６ｂ、２６ｃ）が回転可能なバタフライドアで構成され、
第１板ドア部（２６ｂ）によりデフロスタ開口部（２３）を開閉するようにし、第１板ドア部（２６ｂ）がデフロスタ開口部（２３）の開口位置に操作されたときに、第２板ドア部（２６ｃ）がバイパス通路（１９）の冷風流れ中に突き出して、バイパス通路（１９）の冷風を温風通路（３０）からの温風の方向にガイドすることを特徴とする。
【００２１】
これによると、デフロスタ開口部（２３）とフット開口部（２１）の両方を同時に開口する吹出モードの際に、デフロスタ開口部（２３）側へ冷風が偏って多量に流れ込むことを第２板ドア部（２６ｃ）の冷風ガイド作用によって防止できる。よって、デフロスタ開口部（２３）とフット開口部（２１）の両方を同時に開口する吹出モードの際に、デフロスタ吹出温度がフット吹出温度に比較して過度に低下する、いわゆるクールデフの問題を解消して、窓ガラス防曇性能を確保できる。
【００２２】
請求項４に記載の発明では、請求項１ないし３のいずれか１つに記載の車両用空調装置において、空調ケース（１４）のうち、仕切り板（２７）の設置範囲に相当する部分を別体の分割ケース体（１４ｅ）により構成することを特徴とする。
【００２３】
これによると、空調ケース（１４）のうち、別体の分割ケース体（１４ｅ）部分だけを種々変更することにより、後述の請求項６のような左右独立制御方式への変更とか、後席側吹出開口部（３３、３４）を持たない前席用専用の空調装置への変更といった種々なバリエーション対応を容易に実施できる。
【００２４】
請求項５に記載の発明では、請求項４に記載の車両用空調装置において、分割ケース体（１４ｅ）に仕切り板（２７）が一体成形されていることを特徴とする。
【００２５】
これにより、分割ケース体（１４ｅ）と仕切り板（２７）を一体成形にて効率よく低コストで製作できるとともに、分割ケース体（１４ｅ）と仕切り板（２７）の組付作業も容易となる。
【００２６】
請求項６に記載の発明では、請求項１ないし５のいずれか１つに記載の車両用空調装置において、空調ケース（１４）内部に、冷房用熱交換器（１６）の空気流れ下流側を車両左側通路（３６）と車両右側通路（３７）とに仕切る中央仕切り板（３５）を配置し、
ドア手段（２０）を、車両左側通路（３６）と車両右側通路（３７）でそれぞれ独立に操作可能な車両左側ドア手段と車両右側ドア手段とにより構成したことを特徴とする。
【００２７】
これにより、車室内の左側領域に吹き出す吹出温度と車室内の右側領域に吹き出す吹出温度とを車両左側ドア手段と車両右側ドア手段とによりそれぞれ独立に制御でき、左右独立制御方式の機能を得ることができる。
【００２８】
なお、上記各手段の括弧内の符号は、後述する実施形態に記載の具体的手段との対応関係を示すものである。
【発明を実施するための最良の形態】
【００２９】
（第１実施形態）
図１〜図４は第１実施形態による車両用空調装置の室内ユニット部１０を示すもので、図１は室内空調ユニット部１０全体の概略斜視図で、図２は図１の車両前後方向のＡ線位置の断面図である。
【００３０】
図３は室内空調ユニット部１０の車両左右方向の中央位置での具体的断面図で、図４は室内空調ユニット部１０の車両左右方向の側方位置での具体的断面図である。なお、図１〜図４における上下前後左右の矢印は車両搭載状態における方向を示す。
【００３１】
室内空調ユニット部１０は車室内前部の計器盤（インストルメントパネル、図示せず）内側において車両左右方向の略中央部に配置される。なお、図３、４において、車体側隔壁部材１１は車両のエンジンルーム１２と車室内１３とを仕切るもので、室内空調ユニット部１０はこの車体側隔壁部材１１のすぐ後方部に配置されている。
【００３２】
室内空調ユニット部１０は車室内へ向かって流れる空気の通路を構成する樹脂製の空調ケース１４を備えている。この空調ケース１４は樹脂成形上の都合、内蔵部品の組付上の都合等から、実際には複数の分割ケース体として成形され、この複数の分割ケース体をねじやクリップ等の締結手段により一体に締結することにより空調ケース１４が構成される。
【００３３】
そして、本実施形態では、空調ケース１４のうち、車両前方側の上方部に送風機部１５を一体に配置した構成になっている。この送風機部１５は、図３、４に示すように遠心式の送風ファン１５ａをスクロールケーシング１５ｂ内に収容し、送風ファン１５ａをモータ（図示せず）により回転駆動するようになっている。
【００３４】
より具体的には送風機部１５の車両左右方向の中央部にモータを配置し、このモータの左右両側（軸方向両側）に送風ファン１５ａを配置している。そして、スクロールケーシング１５ｂの左右両側部に、左右両側の送風ファン１５ａの吸入口（図示せず）を形成し、この左右両側の吸入口にそれぞれ内外気切替箱（図示せず）を接続し、この内外気切替箱からの導入空気（内気または外気）を左右両側の送風ファン１５ａにより送風するようになっている。
【００３５】
スクロールケーシング１５ｂの吹出通路１５ｃは図３、４に示すように上方から下方へ向かって形成されているので、送風ファン１５ａの送風空気は図３、４の矢印ａのように空調ケース１４内部の最前部において上方から下方へ向かって流れる。
【００３６】
空調ケース１４内部のうち、車両前方側の下方部に冷房用熱交換器をなす蒸発器１６が配置されている。ここで、蒸発器１６は略長方形の薄型形状であり、水平面に対して微小な傾斜角度θにより傾斜配置されている。より具体的には、蒸発器１６の車両前方端部が上方で、車両後方端部が下方となるように傾斜配置され、これにより、蒸発器１６の下側に、吹出通路１５ｃからの送風空気の流入空間１７が形成されている。
【００３７】
蒸発器１６は、周知のように複数の偏平チューブとコルゲート状伝熱フィンとの積層構造により構成される熱交換コア部１６ａを有し、この熱交換コア部１６ａを下側流入空間１７の空気の全量が矢印ｂのように下方から上方へ通過するようになっている。ここで、蒸発器１６は、周知のように蒸気圧縮式冷凍機の低圧側熱交換器であり、矢印ｂの通過空気から低圧冷媒が吸熱して蒸発することにより、この通過空気を冷却する。
【００３８】
そして、空調ケース１４内において、蒸発器１６の空気流れ下流側にヒータコア１８が配置されている。より具体的には、蒸発器１６の上方側で、かつ、車両後方側部位に偏ってヒータコア１８が配置される。これにより、空調ケース１４内において、ヒータコア１８の車両前方側部位にヒータコア１８をバイパスして蒸発器通過空気（冷風）が矢印ｃのように流れるバイパス通路１９が形成されている。
【００３９】
ヒータコア１８は、蒸発器１６の傾斜に沿って蒸発器１６の傾斜角度θよりも大きい傾斜角度でもって傾斜配置されている。ここで、ヒータコア１８は、車両エンジン（図示せず）からの温水（エンジン冷却水）により空気を加熱する暖房用熱交換器である。
【００４０】
このヒータコア１８も複数の偏平チューブとコルゲート状伝熱フィンとの積層構造により構成される熱交換コア部１８ａを有し、この熱交換コア部１８ａを蒸発器通空気が矢印ｄのように車両前方側から後方側へと斜め上方へ通過するようになっている。
【００４１】
なお、ヒータコア１８の直後の部位には電気ヒータ１８０がヒータコア１８と平行に配置されている。この電気ヒータ１８０は、冬期の暖房時であって、車両エンジンの温水温度が低いときに通電されて発熱することにより、車室内吹出空気を即効的に加熱する補助加熱手段である。
【００４２】
本実施形態では、蒸発器１６とヒータコア１８との間の空間にフィルム式ドアから構成されるエアミックスドア２０が車両前後方向に移動可能に配置されている。このエアミックスドア２０は可撓性を有する薄膜状の樹脂フィルム材から構成され、その移動方向の途中に空気通過用の開口部２０ａ（図３、４の破線部）を設けている。
【００４３】
エアミックスドア２０を構成する樹脂フィルム材の両端部はそれぞれ巻き取り軸２０ｂ、２０ｃに連結されて、巻き取り軸２０ｂ、２０ｃに巻き取られたり、逆に巻き取り軸２０ｂ、２０ｃから送り出される（巻き戻される）ようになっている。２本の巻き取り軸２０ｂ、２０ｃは図示しないドア駆動装置（サーボモータ等）により連動して回転するようになっている。中間ガイド軸２０ｄは樹脂フィルム材の中間曲げ部をガイドするものである。
【００４４】
エアミックスドア２０を構成する樹脂フィルム材の幅寸法（車両左右方向の寸法）は空調ケース１４内の空気通路の幅寸法（車両左右方向の寸法）と同等になっている。そして、開口部２０ａは樹脂フィルム材の左右両縁部を残すようにして開口されるから、開口部２０ａの幅寸法（車両左右方向の寸法）は樹脂フィルム材の幅寸法より若干量小さい。
【００４５】
エアミックスドア２０は、その開口部２０ａが車両前後方向に移動して、ヒータコア１８側通風路の開口面積およびバイパス通路１９側の開口面積を調整する。これにより、エアミックスドア２０はヒータコア１８の熱交換部１８ａを通過する温風（矢印ｄ）とバイパス通路１９を通過する冷風（矢印ｃ）との風量割合を調整して車室内への吹出空気温度を調整する。
【００４６】
図３、４では、エアミックスドア２０の開口部２０ａが最も車両前方側へ移動して開口部２０ａによりバイパス通路１９を全開するとともにエアミックスドア２０のフィルム膜部によりヒータコア１８側通風路を全閉する最大冷房状態を示している。アミックスドア２０の開口部２０ａが最も車両後方側へ移動すると、開口部２０ａによりヒータコア１８側通風路を全開するとともにエアミックスドア２０のフィルム膜部によりバイパス通路１９を全閉する最大暖房状態となる。
【００４７】
次に、車室内へ空気を吹き出す吹出開口部の配置について説明する。フット開口部２１は図２に示すように空調ケース１４の左右両側の側壁１４ａに配置されている。なお、図２では、図１のＡ−Ａ断面指示線上に位置しないヒータコア１８、フット開口部２１および後述のデフロスタ開口部２３を仮想線にて図示している。
【００４８】
左右のフット開口部２１は、図示しないフット吹出ダクトを介して車室内の前席乗員の足元側へ空気を吹き出すもので、このフット開口部２１はより具体的には図３、４に示すようにヒータコア１８およびバイパス通路１９の上方側で、送風機部１５の車両後方側の部位に開口している。このフット開口部２１の開口形状は、下方側から上方側へ向かって開口面積が拡大する扇状の形状になっている。
【００４９】
フェイス開口部は、図１、図２に示すように空調ケース１４の車両左右方向の中央部に位置するセンターフェイス開口部２２ａと、このセンターフェイス開口部２２ａの左右両側に位置するサイドフェイス開口部２２ｂとに区画して形成されている。この両フェイス開口部２２ａ、２２ｂは空調ケース１４においてフット開口部２１よりも上方の部位にて空調ケース１４の車両左右方向のほぼ全域にわたって形成されている。
【００５０】
ここで、センターフェイス開口部２２ａは、図示しないセンターフェイスダクトを介して車両計器盤正面部の左右方向の中央部に配置されるセンターフェイス吹出口に接続され、このセンターフェイス吹出口から車室内中央部にて前席乗員の顔部側へ空気を吹き出す。
【００５１】
また、左右のサイドフェイス開口部２２ｂは、図示しないサイドフェイスダクトを介して車両計器盤正面部の左右両端部に配置されるサイドフェイス吹出口に接続され、このサイドフェイス吹出口から車室内左右両側部にて前席乗員の顔部側へ空気を吹き出す。
【００５２】
センターフェイス開口部２２ａおよびサイドフェイス開口部２２ｂの開口形状はともに矩形状であるが、センターフェイス開口部２２ａはサイドフェイス開口部２２ｂに比較して車両前後方向の寸法が車両前方側へ拡大する。すなわち、センターフェイス開口部２２ａの車両前後方向の寸法Ｌ１（図３）は、サイドフェイス開口部２２ｂの車両前後方向の寸法Ｌ２（図４）比較して２倍程度に大きくしてある。そのため、センターフェイス開口部２２ａとサイドフェイス開口部２２ｂの両方を含むフェイス開口部全体の開口形状は凸状になっている。
【００５３】
デフロスタ開口部２３は、空調ケース１４において左右のサイドフェイス開口部２２ｂの車両前方側の部位に配置される。従って、デフロスタ開口部２３はセンターフェイス開口部２２ａに対してはセンターフェイス開口部２２ａの車両前方側への突出部分の左右両側にオフセット配置されることになる。
【００５４】
デフロスタ開口部２３は図示しないデフロスタダクトを介して車両計器盤上面のデフロスタ吹出口に接続され、このデフロスタ吹出口から車両前面窓ガラスの内面に向けて空気を吹き出す。
【００５５】
左右のフット開口部２１に対応して左右のフットドア２４が空調ケース１４の左右両側の側壁１４ａの内面に沿って回転可能に設けられている。この左右のフットドア２４は回転軸２４ａ（図３、４）を中心として回転可能な扇状の板ドアにて構成される。ここで、回転軸２４ａはフット開口部２１の下側部位に車両左右方向に延びるように配置され、この回転軸２４ａにより左右のフットドア２４を一体に連結する。
【００５６】
図３、４ではフットドア２４がフット開口部２１の車両前方側へ回転してフット開口部２１を全開する状態を図示している。この図３、４の回転位置から回転軸２４ａを中心としてフットドア２４を車両後方側へ回転することにより、フットドア２４がフット開口部２１を全閉する。
【００５７】
空調ケース１４内部において、センターフェイス開口部２２ａおよびサイドフェイス開口部２２ｂの直下の部位にフェイスドア２５が回転可能に設けられている。フェイスドア２５は、図５（ａ）に示すよう回転軸２５ａの軸方向の中央部にセンターフェイス開口部２２ａを開閉する第１板ドア部２５ｂを配置し、この第１板ドア部２５ｂの軸方向両側部にサイドフェイス開口部２２ｂを開閉する第２板ドア部２５ｃを配置している。従って、第１板ドア部２５ｂと左右両側の第２板ドア部２５ｃとを含む板ドア全体の形状は凸状に形成されている。
【００５８】
フェイスドア２５の回転軸２５ａは、図３、４に示すように両フェイス開口部２２ａ、２２ｂ直下で、最も車両後方側部位に車両左右方向に延びるように配置されている。なお、図３、４において、破線円弧２５ｄはフェイスドア２５の第１板ドア部２５ｂの回転作動範囲を示し、破線円弧２５ｅはフェイスドア２５の第２板ドア部２５ｃの回転作動範囲を示している。
【００５９】
左右のデフロスタ開口部２３を開閉する左右のデフロスタドア２６は、空調ケース１４内部においてフェイスドア２５の第２板ドア部２５ｃの車両前方側部位に配置されている。
【００６０】
左右のデフロスタドア２６は図５（ｂ）（ｃ）に示すようにバタフライドアにて構成されている。すなわち、デフロスタドア２６は、回転軸２６ａの径方向の上下両側に第１板ドア部（上側板ドア部）２６ｂと第２板ドア部（下側板ドア部）２６ｃとを一体に連結し、回転軸２６ａを中心として第１、第２板ドア部２６ｂ、２６ｃが一体に回転するバタフライドアの構成になっている。
【００６１】
回転軸２６ａは、図３、４に示すように送風機１５のスクロールケーシング１５ｂの車両後方側部位に隣接配置され、かつ、車両左右方向に延びるように配置される。左右のデフロスタ開口部２３相互の間隔に、フェイスドア２５の第１板ドア部２５ｂが遊嵌合するので、左右のデフロスタドア２６と第１板ドア部２５ｂが互いに干渉することなく独立に回転作動するようになっている。
【００６２】
図４に示すデフロスタドア２６の実線位置は、上側の第１板ドア部２６ｂにてデフロスタ開口部２３を全閉する状態を示し、破線位置は上側の第１板ドア部２６ｂにてデフロスタ開口部２３を全開する状態を示している。デフロスタドア２６の下側の第２板ドア部２６ｃは後述するようにデフロスタ開口部２３の開口時に冷温風の混合性を向上するための冷風ガイドの役割を果たす。
【００６３】
上記したフットドア２４、フェイスドア２５およびデフロスタドア２６は車室内の前席側領域への吹出空気の吹出モードを切り替える前席側吹出モードドアであり、これらの前席側吹出モードドア２４〜２６の回転軸２４ａ、２５ａ、２６ａは図示しないリンク機構を介して共通のドア駆動装置（サーボモータ等）に連結されて連動操作されるようになっている。
【００６４】
なお、本実施形態では、前席側吹出モードドア２４〜２６により前席側の吹出モードとして、周知のフェイスモード、バイレベルモード、フットモード、フットデフロスタモード、およびデフロスタモードを切替設定するようになっている。
【００６５】
次に、空調ケース１４内部の空気通路仕切り構造について説明する。本実施形態では、図１、図２に示すように空調ケース１４内部に２枚の仕切り板２７を上下方向に平行に配置し、空調ケース１４の内部空間のうち、ヒータコア１８の後方側領域（空気流れ下流側領域）およびバイパス通路１９の領域（ヒータコア１８の上方領域）を２枚の仕切り板２７により車両左右方向の中央領域１４ｂと左側領域１４ｃと右側領域１４ｄとに仕切っている。
【００６６】
そして、左右の両側領域１４ｃ、１４ｄのうち、フット開口部２１の開口位置付近（ヒータコア１８の上方部）に前席側の第１エアミックス領域２８ａ（図２、図４）を形成し、また、中央領域１４ｂのうち、バイパス通路１９の領域（ヒータコア１８の上方部）に前席側の第２エアミックス領域２８ｂ（（図２）を形成する。
【００６７】
なお、前席側の第２エアミックス領域２８ｂは後述するようにセンターフェイス吹出空気のための補助的なものである。更に、中央領域１４ｂのうち、ヒータコア１８の後方部に後席側エアミックス領域２９（図２、図３）を形成する。
【００６８】
２枚の仕切り板２７の設置範囲は図６の斜線部の範囲であり、具体的には、ヒータコア１８の上方部（フット開口部２１の開口位置付近）からヒータコア１８の後方側領域に至る範囲である。仕切り板２７の上方縁部は、フェイスドア２５の第１板ドア部２５ｂの回転作動範囲の外側に位置するように設定して、仕切り板２７と第１板ドア部２５ｂとの干渉を回避するようになっている。
【００６９】
なお、仕切り板２７は、単独で樹脂成形した板部材を空調ケース１４内に組み込むか、あるいは空調ケース１４を構成する分割ケース体に一体成形してもよい。
【００７０】
２枚の仕切り板２７にて仕切られた左右両側の領域１４ｃ、１４ｄのうち、ヒータコア１８の後方側領域は、図４に示すようにヒータコア１８を通過した温風が上方のバイパス通路１９側に向かって流れる温風通路３０を形成する。この温風通路３０からの温風は、ヒータコア１８上方のフット開口部２１付近でバイパス通路１９の冷風と混合する。これにより、空調ケース１４内部の左右両側領域１４ｃ、１４ｄにおいて、バイパス通路１９の領域（フット開口部２１付近）に前席側第１エアミックス領域２８ａが形成される。
【００７１】
なお、温風通路３０の上方部には冷温風のエアミックス性向上のためのガイド壁３１ａ（図４）が形成されている。このガイド壁３１ａは、空調ケース１４の車両後方側壁面の左右両側領域においてヒータコア１８の上方部位に形成され、温風通路３０からの温風をヒータコア１８の上方部で車両前方側にガイドして、バイパス通路１９の冷風流れに対して温風を逆方向から衝突させる。これにより、前席側第１エアミックス領域２８ａでの冷温風のエアミックス性（混合性）を向上させる。
【００７２】
一方、２枚の仕切り板２７にて仕切られた中央領域１４ｂのうち、後席側エアミックス領域２９の上方部には上記ガイド壁３１ａと同様のガイド壁３１ｂ（図３）が形成され、このガイド壁３１ｂは後述の冷風ｃ２を後席側エアミックス領域２９に向けてスムースにガイドする役割を果たす。
【００７３】
そして、中央領域１４ｂのうち、後席側エアミックス領域２９の下側部分に後席側吹出通路３２（図３）が形成され、この後席側吹出通路３２に後席側フェイス開口部３３と後席側フット開口部３４が開口している。この後席側フェイス開口部３３と後席側フット開口部３４は、両者共通の１つの後席側吹出モードドア（図示せず）により開閉するようになっている。
【００７４】
なお、この後席側吹出モードドアは、後席側フェイス開口部３３と後席側フット開口部３４をそれぞれ単独で開口する状態と、後席側の両開口部３３、３４を同時に開口する状態と、後席側の両開口部３３、３４を同時に閉塞する後席側シャット状態とを切替可能なものである。
【００７５】
後席側フェイス開口部３３には図示しない後席側フェイスダクトが接続され、この後席側フェイスダクトの先端部に設けられた後席側フェイス吹出口から空調風（主に冷風）を後席乗員の顔部に向けて吹き出すようになっている。また、後席側フット開口部３４には図示しない後席側フットダクトが接続され、この後席側フットダクトの先端部に設けられる後席側フット吹出口から空調風（主に温風）を後席乗員の足元部に向けて吹き出すようになっている。
【００７６】
次に、上記構成において本実施形態の作動を各種吹出モード毎に説明する。
【００７７】
（１）フェイスモード
前席側フェイスドア２５を図３、４の実線位置に操作して、前席側センターフェイス開口部２２ａおよび前席側サイドフェイス開口部２２ｂを全開する。デフロスタドア２６も図３、４の実線位置に操作して、デフロスタ開口部２３を全閉する。また、フットドア２４は図３、４の実線位置からフット開口部２１上に重合する位置に操作して、前席側フット開口部２１を全閉する。
【００７８】
一方、図示しない後席側吹出モードドアにより後席側フェイス開口部３３は全開され、後席側フット開口部３４は全閉される。
【００７９】
このようなフェイスモード状態において、送風機部１５のモータ（図示せず）に通電して送風ファン１５ａを矢印方向に回転駆動すると、図示しない内外気切替箱から内気または外気が吸入され、この吸入空気は送風ファン１５ａによりスクロールケーシング１５ｂ内を送風され、このスクロールケーシング１５ｂの吹出通路１５ｃを送風空気が図３、４の矢印ａのように上方から下方へ向かって流れる。
【００８０】
この送風空気は蒸発器１６を矢印ｂのごとく下方から上方へ通過して冷却され、冷風となる。今、エアミックスドア２０を中間温度制御位置に操作すると、エアミックスドア２０の開口部２０ａが図３、４の位置よりも車両後方側へ移動して、開口部２０ａによりバイパス通路１９とヒータコア１８側通風路の両方を同時に開口する。これにより、蒸発器１６通過後の冷風のうち、一部の冷風ｃがバイパス通路１９を通過して流れ、残余の冷風ｄはヒータコア１８側通風路に流入して加熱される。
【００８１】
ここで、バイパス通路１９およびヒータコア１８の下流側領域（後方側領域）は２枚の仕切り板２７によって車両左右方向に３つの領域１４ｂ、１４ｃ、１４ｄに仕切られている。車両左右方向の中央領域１４ｂでは、図３に示すようにフェイスドア２５の第１板ドア部２５ｂの仕切り作用によりバイパス通路１９の冷風ｃが第１板ドア部２５ｂの上側の流れと下側の流れとに分岐される。
【００８２】
すなわち、第１板ドア部２５ｂの上側を通過してセンターフェイス開口部２２ａに向かう冷風流れｃ１と、第１板ドア部２５ｂの下側を通過してヒータコア１８下流側に向かう斜め下方の冷風流れｃ２とに分岐される。
【００８３】
後者の冷風ｃ２は、ヒータコア１８下流部の後席側エアミックス領域２９にてヒータコア１８を通過した温風ｅと直角状に衝突し混合する。この冷風と温風との混合により所望温度の冷風ｆを得ることができ、この冷風ｆを後席側吹出通路３２、後席側フェイス開口部３３および後席側フェイスダクト（図示せず）を通過して後席側フェイス吹出口（図示せず）から後席乗員の顔部側へ吹き出す。
【００８４】
一方、２枚の仕切り板２７によって仕切られた左右両側の領域１４ｃ、１４ｄにおいても、蒸発器１６通過後の冷風がバイパス通路１９を通過する冷風ｃとヒータコア１８側通風路を通過する冷風ｄとに分岐される。
【００８５】
左右両側の領域１４ｃ、１４ｄでは、ヒータコア１８の下流側領域（後方側領域）の下端部が後席側吹出通路３２と連通せず、閉塞しているので、ヒータコア１８を通過した温風ｇは温風通路３０を上昇してバイパス通路１９側へ向かう。すなわち、温風ｇはガイド壁３１ａにより車両前方側への流れを形成する。
【００８６】
従って、この温風流れｇは、左右両側の領域１４ｃ、１４ｄのうち、ヒータコア１８の上方部（フット開口部２１付近）にて冷風ｃと対向状に衝突し混合する。この冷温風の混合により所望温度の冷風ｈを作る。これにより、左右両側の領域１４ｃ、１４ｄのヒータコア１８の上方部（フット開口部２１付近）に前席側の第１エアミックス領域２８ａが形成される。
【００８７】
上記所望温度の冷風ｈは、略平行になっているデフロスタドア２６の上側の第１板ドア部２６ｂとフェイスドア２５の第２板ドア部２５ｃとの間の空気通路を通過してサイドフェイス開口部２２ｂに向かって直線的に流れる。そして、この所望温度の冷風ｈはサイドフェイス開口部２２ｂからサイドフェイスダクト（図示せず）を通過してサイドフェイス吹出口（図示せず）から車室内左右両側部において前席乗員の顔部側へ吹き出す。
【００８８】
ところで、２枚の仕切り板２７の上方縁部は、図６に示すようにフェイスドア２５の第１板ドア部２５ｂの回転作動範囲の外側に位置するようになっているから、左右両側領域１４ｃ、１４ｄにおける温風通路３０の上方部は、中央領域１４ｂのバイパス通路１９（すなわち、センターフェイス開口部２２ａに向かう空気通路）に連通している。
【００８９】
これにより、左右両側の温風通路３０の温風ｇの一部が中央領域１４ｂにてセンターフェイス開口部２２ａに向かう冷風流れｃ１に巻き込まれ、この温風ｇと冷風流れｃ１とが混合され、所望温度の冷風ｉを作る。この温風ｇと冷風流れｃ１の混合を行う領域が前席側の第２エアミックス領域２８ｂである。
【００９０】
この所望温度の冷風ｉはセンターフェイス開口部２２ａに流入し、更に、センターフェイスダクト（図示せず）を通過してセンターフェイス吹出口（図示せず）から車室内中央部において前席乗員の顔部側へ吹き出す。
【００９１】
ところで、上記したフェイスモード時において、冷房始動時のように最大冷房性能を発揮する場合には、エアミックスドア２０を図３、４に示すように開口部２０ａが最も車両前方側へ移動した最大冷房位置に操作する。
【００９２】
すると、開口部２０ａによりバイパス通路１９を全開するとともにエアミックスドア２０のフィルム膜部によりヒータコア１８側通風路を全閉する。これにより、蒸発器１６通過後の冷風の全量がバイパス通路１９を通過して流れ、ヒータコア１８で加熱されないから、車室内吹出空気を最大限冷却できる。
【００９３】
この蒸発器１６通過後の冷風がそのまま、前席側の両フェイス開口部２２ａ、２２ｂおよび後席側フェイス開口部３３を通過して車室内の前後両側へ吹き出す。そして、送風機部１５の駆動用モータ（図示せず）を最高速度で回転して、送風機部１５の送風量を最大に設定することにより、最大冷房性能を発揮する。
【００９４】
本実施形態では、特に、中央領域１４ｂのうち、バイパス通路１９の形成部位を通過してセンターフェイス開口部２２ａに向かう冷風通路の通風抵抗を小さくして、センターフェイス吹出風量を増大でき、それにより、最大冷房性能を効果的に向上できる。
【００９５】
つまり、２枚の仕切り板２７により空調ケース１４内部を車両左右方向の中央領域１４ｂと、左右両側の領域１４ｃ、１４ｄとに仕切り、中央領域１４ｂのうち、ヒータコア１８の下流部（車両後方側）に後席側のエアミックス領域２９を形成し、左右両側の領域１４ｃ、１４ｄのうち、バイパス通路１９の形成部位（ヒータコア１８上方部）に前席側の第１エアミックス領域２８ａ、２８ａを形成し、この第１エアミックス領域２８ａ、２８ａで混合された空調風を前席側フット開口部２１、前席側サイドフェイス開口部２２ｂおよびデフロスタ開口部２３側へ吹き出すようにしている。
【００９６】
この結果、中央領域１４ｂのうち、バイパス通路１９の形成部位は、前席側のフット吹出空気、サイドフェイス吹出空気およびデフロスタデフロスタ吹出空気、さらには後席側吹出空気のエアミックス性を何ら考慮することなく、前席側センターフェイス開口部２２ａのための専用の冷風通路として構成できる。
【００９７】
それ故、中央領域１４ｂにおいては、従来技術のようなガイド壁４２の突出形状を設定することなく、蒸発器１６の直後の部位から前席側センターフェイス開口部２２ａに向かって冷風通路を直線的に最短距離で、かつ、十分広い通路面積でもって構成できる。これにより、従来技術のようなエアミックス領域４１を特定位置に１箇所のみ形成するものに比較して最大冷房時のセンターフェイス吹出風量を効果的に増大でき、最大冷房性能を効果的に向上できる。
【００９８】
なお、中央領域１４ｂのうち、バイパス通路１９の形成部位は、前述のごとく温度制御状態では、センターフェイス吹出空気のための第２エアミックス領域２８ｂを形成することになるが、このバイパス通路１９の形成部位では、中央部の冷風流れｃ１に対して左右両側から温風ｇの一部が巻き込まれることにより、冷温風を良好に混合できる。
【００９９】
このため、従来技術のガイド壁４４のような特別の温風ガイド手段を設定しなくても、中央部の冷風流れｃ１に対して左右両側から温風ｇが巻き込まれるという、冷温風の流れ形態自体で冷温風を良好に混合できる。
【０１００】
このことから、バイパス通路１９の中央領域１４ｂがセンターフェイス吹出空気のエアミックス領域２８ｂとなっても、バイパス通路１９の中央領域１４ｂの通風抵抗が増大することはない。
【０１０１】
（２）バイレベルモード
図３、４はバイレベルモードの状態を示している。すなわち、バイレベルモードでは、前席側フェイスドア２５をフェイスモード時と同様に図３、４の実線位置に操作して、前席側センターフェイス開口部２２ａおよび前席側サイドフェイス開口部２２ｂを全開する。デフロスタドア２６も図３、４の実線位置に操作して、デフロスタ開口部２３を全閉する。そして、フットドア２４も図３、４の実線位置に操作して、前席側フット開口部２１を全開する。
【０１０２】
これにより、左右両側領域１４ｃ、１４ｄの前席側第１エアミックス領域２８ａで混合された所望温度の空調風が前席側サイドフェイス開口部２２ｂと前席側フット開口部２１を通して、車室内前席側の上下両側へ吹き出す。これと同時に、中央領域１４ｂのうち、ヒータコア１８の上方部に位置する前席側第２エアミックス領域２８ｂで混合された所望温度の空調風がセンターフェイス開口部２２ａを通して、車室内前席側の上側（乗員顔部側）へ吹き出す。
【０１０３】
従って、車室内前席側の上下両側へ所望温度（通常は中間温度域）の空調風を吹き出して、車室内前席側を空調できる。同様に、後席側においても、図示しない後席側吹出モードドアにより後席側フェイス開口部３３と後席側フット開口部３４の両方を同時に開口することにより、後席側エアミックス領域２９で混合された所望温度の空調風を車室内後席側の上下両側へ吹き出して車室内後席側を空調できる。
【０１０４】
ところで、前席側第１エアミックス領域２８ａは、前席側フット開口部２１付近に形成され、ここで混合された空調風を前席側フット開口部２１と前席側サイドフェイス開口部２２ｂの両方に配分するから、バイレベルモード時に前席側フット吹出温度と前席側サイドフェイス吹出温度は同等の温度になる。
【０１０５】
これに対し、前席側センターフェイス開口部２２ａの吹出温度は次の理由で前席側サイドフェイス開口部２２ｂの吹出温度より低くなる。前席側センターフェイス開口部２２ａは、前席側サイドフェイス開口部２２ｂおよび前席側フット開口部２１よりも開口面積が大きいとともに、センターフェイスダクト（図示せず）の長さがサイドフェイスダクト（図示せず）の長さに比較して大幅に短い。また、前席側センターフェイス開口部２２ａに向かう冷風通路は直線的であり、前席側フット開口部２１に向かう通路のような急激な曲がりがない。
【０１０６】
これらの理由から、前席側センターフェイス開口部２２ａに向かう冷風流れの通風抵抗が前席側サイドフェイス開口部２２ｂおよび前席側フット開口部２１に向かう冷風流れの通風抵抗より大幅に小さくなる。これにより、前席側第１エアミックス領域２８ａに比較して前席側第２エアミックス領域２８ｂでの冷風比率が高くなって、前席側センターフェイス開口部２２ａの吹出温度が前席側サイドフェイス開口部２２ｂの吹出温度より低くなる。
【０１０７】
バイレベルモード時は、通常、春秋の中間季節に使用され、夏期冷房時に比較して外気温が低下し、それに伴って、窓ガラス温度も低下するので、前席側サイドフェイス開口部２２ｂからの低温空気の吹出によって車両のサイド窓ガラスが冷却されて、サイド窓ガラスの曇り発生が起こりやすくなる。
【０１０８】
このような場合に、本実施形態によると、前席側センターフェイス開口部２２ａの吹出温度を前席側サイドフェイス開口部２２ｂの吹出温度より低くすることにより、乗員の欲する空調フィーリングを確保しながら、前席側サイドフェイス開口部２２ｂの吹出温度を前席側センターフェイス開口部２２ａの吹出温度よりも高めにすることにより、車両のサイド窓ガラスの曇り発生を抑制できる。
【０１０９】
なお、前席側センターフェイス開口部２２ａの吹出温度を前席側サイドフェイス開口部２２ｂの吹出温度より低いという傾向は、前述のフェイスモード時でも同様に発生する。
【０１１０】
（３）フットモード
前席側フェイスドア２５を図３、４の破線位置に操作して、前席側センターフェイス開口部２２ａおよび前席側サイドフェイス開口部２２ｂを全閉する。これに対し、フットドア２４は図３、４の実線位置に操作して、前席側フット開口部２１を全開する。また、デフロスタドア２６は図３、４の実線位置に操作してデフロスタ開口部２３を全閉するか、あるいはデフロスタ開口部２３を少量開口する小開度位置にデフロスタドア２６を操作する。
【０１１１】
これにより、左右両側領域１４ｃ、１４ｄの前席側第１エアミックス領域２８ａで混合された所望温度の空調風（温風）が前席側フット開口部２１を通して車室内前席側の乗員足元側へ吹き出して、車室内前席側を暖房する。デフロスタ開口部２３を少量開口する場合は、前席側第１エアミックス領域２８ａで混合された所望温度の空調風（温風）がデフロスタ開口部２３を通過して車両前面窓ガラス側へ吹き出して、車両前面窓ガラスの防曇作用を発揮する。
【０１１２】
なお、図示しない後席側吹出モードドアにより後席側フェイス開口部３３を全閉して、後席側フット開口部３４を全開することにより、後席側でも所望温度の空調風（温風）が乗員足元側へ吹き出して、車室内後席側をフットモードにて暖房できる。
【０１１３】
（４）フットデフロスタモード
前席側フェイスドア２５を図３、４の破線位置に操作して、前席側センターフェイス開口部２２ａおよび前席側サイドフェイス開口部２２ｂを全閉する。これに対し、フットドア２４は図３、４の実線位置に操作して、前席側フット開口部２１を全開する。また、デフロスタドア２６は図３、４の破線位置に操作してデフロスタ開口部２３を全開する。
【０１１４】
これにより、左右両側領域１４ｃ、１４ｄの前席側第１エアミックス領域２８ａで混合された所望温度の空調風（温風）が前席側フット開口部２１およびデフロスタ開口部２３の両方に配分される。
【０１１５】
従って、所望温度の空調風（温風）が前席側フット開口部２１を通して車室内前席側の乗員足元側へ吹き出して、車室内前席側を暖房する。これと同時に、所望温度の空調風（温風）がデフロスタ開口部２３を通過して車両前面窓ガラス側へ吹き出して、車両前面窓ガラスの防曇作用を発揮する。ここで、前席側フット吹出風量とデフロスタ吹出風量は、通常、同程度の割合に設定される。
【０１１６】
ところで、デフロスタドア２６はバタフライドアで構成してあるので、デフロスタドア２６をデフロスタ開口部２３の全開位置（図３、４の破線位置）に操作すると、デフロスタドア２６の第２板ドア部２６ｃがバイパス通路１９側へ突き出す。これにより、送風機部１５のスクロールケーシング１５ｂの外壁面に沿う冷風を前席側第１エアミックス領域２８ａにおいて車両後方側の温風主体の部位へガイドできる。
【０１１７】
これにより、フットデフロスタモード時に、前席側第１エアミックス領域２８ａにおけるエアミックス性を一段と向上できるので、前席側のフット吹出温度とデフロスタ吹出温度とを同等にできる。従って、デフロスタ吹出温度がフット吹出温度よりも低くなる、いわゆるクールデフの発生を防止できる。
【０１１８】
このクールデフの発生は車両前面窓ガラスの防曇性能の低下を引き起こすのであるが、本実施形態によると、車両前面窓ガラスの防曇性能を確保しつつ、車室内前席側の暖房効果を良好に発揮できる。
【０１１９】
なお、前席側吹出モードとしてフットデフロスタモードを設定するときは暖房時であるから、後席側では上記フットモードを設定すればよい。
【０１２０】
また、フットモードおよびフットデフロスタモードでは、前席側センターフェイス開口部２２ａが全閉されるので、中央領域１４ｂにおけるバイパス通路１９の冷風は、左右両側の前席側第１エアミックス領域２８ａと後席側エアミックス領域２９とに分岐される。
【０１２１】
（５）デフロスタモード
前席側フェイスドア２５を図３、４の破線位置に操作して、前席側センターフェイス開口部２２ａおよび前席側サイドフェイス開口部２２ｂを全閉する。フットドア２４も前席側フット開口部２１上に重合する位置に操作して、前席側フット開口部２１を全閉する。また、デフロスタドア２６は図３、４の破線位置に操作してデフロスタ開口部２３を全開する。
【０１２２】
これにより、前席側の吹出空気はデフロスタ開口部２３を通過して車両前面窓ガラス側のみに吹き出して、車両前面窓ガラスの防曇作用を発揮する。
【０１２３】
なお、デフロスタモードは車両前面窓ガラスの防曇性能発揮のために設定されるものであって、車両前方視界の確保のためには窓ガラスの防曇を極力速やかに実行する必要がある。従って、デフロスタモードの設定時にはこれに連動して、後席側吹出モードドアにより後席側フェイス開口部３３および後席側フット開口部３４の両方を全閉するシャット位置に操作し、これにより、送風機部１５の送風空気の全量を窓ガラス側へ吹き出すのが好ましい。
【０１２４】
（第２実施形態）
図７は第２実施形態を示すもので、図２に対応する図である。第２実施形態は左右独立温度制御機能を発揮するものである。このため、空調ケース１４内部の蒸発器１６下流側通路において車両左右方向の中央部に中央仕切り板３５を配置して、空調ケース１４内部のうち蒸発器１６下流側から前席側吹出開口部２１、２２ａ、２２ｂ、２３および後席側吹出開口部３３、３４に至る空気通路を車両左側通路３６と車両右側通路３７とに仕切っている。
【０１２５】
これに伴って、第１実施形態のエアミックスドア２０を車両左側通路３６に配置され独立に操作される左側エアミックスドアと、車両右側通路３７に配置され独立に操作される右側エアミックスドアとに分割している。なお、図７では、この左右のエアミックスドアの独立配置状態の図示を省略している。
【０１２６】
これにより、車両左側通路３６から車室内の前席左側および後席左側へ吹き出す空気温度と、車両右側通路３７から車室内の前席右側および後席右側へ吹き出す空気温度とを左右のエアミックスドアにて独立に制御できる。
【０１２７】
なお、前席側の吹出モードドア２４、２５、２６と後席側吹出モードドア（図示せず）をそれぞれ車両左側通路３６および車両右側通路３７にて独立に操作される左側および右側の吹出モードドアに分割すれば、前席側および後席側の吹出モードを車両左側通路３６および車両右側通路３７でそれぞれ独立に切り替えることができる。
【０１２８】
更に、前席側のエアミックスドアを独立操作可能な左右のエアミックスドアに分割することに加えて、車室内の後席側左右への空気温度を独立に制御できるエアミックスドアを追加設置すれば、車室内の前席側左右への空気温度および後席側左右への空気温度をいずれも独立に制御できる。これによって、車室内の４席の独立温度制御機能を発揮できる。
【０１２９】
（第３実施形態）
図８、図９は第３実施形態を示すもので、図８は図１に対応する図である。第３実施形態では空調ケース１４の分割構成に関する。
【０１３０】
具体的には、空調ケース１４に図８の分割線Ｂにて分割された後方側分割ケース体１４ｅを別ケースとして成形して、この後方側分割ケース体１４ｅを空調ケース１４のうち前方側のケース本体部１４ｆにねじ、ばねクリック等の締結手段にて一体に締結するようにしている。なお、前方側のケース本体部１４ｆは、左側分割ケース体と右側分割ケース体とにより構成される。
【０１３１】
そして、後方側分割ケース体１４ｅには２枚の仕切り板２７が一体成形される。このため、後方側分割ケース体１４ｅの具体的な分割範囲は、図６の斜線範囲で示す仕切り板２７の設置範囲相当に設定している。
【０１３２】
第３実施形態によると、空調ケース１４に、仕切り板２７の設置範囲に相当する後方側分割ケース体１４ｅを別体で設けているので、この後方側分割ケース体１４ｅを置換するだけで種々な空調機能のバリエーション対応を容易に実現できる。
【０１３３】
例えば、第２実施形態のように左右独立温度制御方式に切り替える場合は、後方側分割ケース体１４ｅを２枚の仕切り板２７と第２実施形態の中央仕切り板３５とを有するものに置換することにより、前方側のケース本体部１４ｆを共通使用のまま、空調ユニット１０を左右独立温度制御方式に容易に切り替えることができる。
【０１３４】
同様に、車室内の４席の独立温度制御方式への切替も後方側分割ケース体１４ｅ部分の変更によって容易に実現できる。
【０１３５】
また、後席側吹出開口部３３、３４を持たない、前席側専用の空調ユニット１０への切替も後方側分割ケース体１４ｅ部分の変更によって容易に実現できる。
【０１３６】
（他の実施形態）
なお、上述の実施形態では、フェイスドア２５により前席側センターフェイス開口部２２ａおよび前席側サイドフェイス開口部２２ｂを同時に開閉する構成とし、前席側センターフェイス開口部２２ａおよび前席側サイドフェイス開口部２２ｂをフェイスモードとバイレベルモードにて開口し、その他の吹出モードでは前席側センターフェイス開口部２２ａおよび前席側サイドフェイス開口部２２ｂを閉塞する例について説明したが、前席側センターフェイス開口部２２ａのみをフェイスモードとバイレベルモードにて開口し、前席側サイドフェイス開口部２２ｂは全吹出モードで開口する常開方式にしてもよい。
【０１３７】
また、上述の実施形態では、送風機部１５のモータの左右両側（軸方向両側）に送風ファン１５ａを配置し、そして、この左右両側の送風ファン１５ａのスクロールケーシング１５ｂの吸入口にそれぞれ内外気切替箱（図示せず）を接続するようにしているが、送風機部１５のモータの軸方向片側のみに送風ファン１５ａおよび内外気切替箱を接続するようにしてもよい。
【０１３８】
また、上述の実施形態では、送風機部１５を熱交換器部（蒸発器１６およびヒータコア１８）と同様に車両左右方向の中央部に配置する、いわゆるセンター置きの配置レイアウトにしているが、送風機部１５を熱交換器部（蒸発器１６およびヒータコア１８）に対して車両左右方向の側方（助手席側の側方）に配置する、いわゆるオフセット配置のレイアウトの構成に本発明を適用してもよい。
【０１３９】
また、上述の実施形態では、エアミックスドア２０をフィルムドアにより構成しているが、フィルムドア以外の板ドア等によりエアミックスドア２０を構成してもよい。その際、エアミックスドア２０を、バイパス通路１９側を開閉する冷風ドアとヒータコア１８側の通風路を開閉する温風ドアとの組み合わせで構成してもよい。そして、この冷風ドアと温風ドアをそれぞれ複数のバタフライドアにより構成すれば、エアミックスドア２０を板ドアにより構成しても、ドア設置スペースを小さくできる。
【０１４０】
また、エアミックスドア２０の操作機構、前席側吹出モードドア２４、２５、２６の操作機構および後席側吹出モードドアの操作機構をサーボモータを用いたオート操作機構でなく、乗員の手動操作力によるマニュアル操作機構で構成してもよい。
【図面の簡単な説明】
【０１４１】
【図１】本発明の第１実施形態を示す室内空調ユニット部の概略斜視図である。
【図２】図１のＡ矢視断面図である。
【図３】第１実施形態による室内空調ユニット部の車両左右方向の中央部断面図である。
【図４】第１実施形態による室内空調ユニット部の車両左右方向の左右両側領域の断面図である。
【図５】（ａ）は第１実施形態によるフェイスドアの正面図、（ｂ）は第１実施形態によるデフロスタドアの正面図、（ｃ）はこのデフロスタドアの側面図である。
【図６】第１実施形態による仕切り板の設置範囲を斜線範囲で示す断面図である。
【図７】第２実施形態による室内空調ユニット部内の仕切り構造を示す断面図で、図２に対応する。
【図８】第３実施形態を示す室内空調ユニット部の概略斜視図で、図１に対応する。
【図９】従来技術の断面図である。
【符号の説明】
【０１４２】
１４…空調ケース、１４ｂ…中央領域、１４ｃ、１４ｄ…左右の両側領域、
１６…蒸発器（冷房用熱交換器）、１８…ヒータコア（暖房用熱交換器）、
１９…バイパス通路、２０…エアミックスドア（ドア手段）、２７…仕切り板、
２１…フット開口部、２２ａ…センターフェイス開口部、２２ｂ…サイドフェイス開口部、２３…デフロスタ開口部、２８ａ…前席側エアミックス領域、
２９…後席側エアミックス領域、３０…温風通路、３３…後席側フェイス開口部、
３４…後席側フット開口部。
【図１】
2005324588.tif 000003
【図２】
2005324588.tif 000004
【図３】
2005324588.tif 000005
【図４】
2005324588.tif 000006
【図５】
2005324588.tif 000007
【図６】
2005324588.tif 000008
【図７】
2005324588.tif 000009
【図８】
2005324588.tif 000010
【図９】
2005324588.tif 000011